(57)【要約】【課題】収納部がその両側に形成される仕切り壁の厚さを薄くすることができるパレット式化粧料容器を提供する。【解決手段】化粧皿４を収納する収納部５ａ〜５ｄが仕切り壁１５ｂ〜１５ｄの両側にそれぞれ形成されたパレット式化粧料容器１において、仕切り壁には、表裏面が各収納部にそれぞれ面し、かつ当該仕切り壁の厚さ方向に弾性変形可能な可撓片部１９を複数形成するとともに、これら可撓片部の表裏面のいずれか一方に、化粧皿に係脱自在に係合する係合部２４を形成した。仕切り壁が互いに相対向させて複数設けられ、一方の仕切り壁の係合部が、他方の仕切り壁の係合部に対し位置ずれさせて配置される。可撓片部は、係合部と反対側の面が窪ませられて、仕切り壁よりも薄く形成されている。【選択図】　　　　　図３
2004073293.tif 000002
【特許請求の範囲】
【請求項１】
化粧皿を収納する収納部が仕切り壁の両側にそれぞれ形成されたパレット式化粧料容器において、
上記仕切り壁には、表裏面が上記各収納部にそれぞれ面し、かつ当該仕切り壁の厚さ方向に弾性変形可能な可撓片部を複数形成するとともに、これら可撓片部の表裏面のいずれか一方に、上記化粧皿に係脱自在に係合する係合部を形成したことを特徴とするパレット式化粧料容器。
【請求項２】
前記仕切り壁が互いに相対向させて複数設けられ、一方の仕切り壁の前記係合部が、他方の仕切り壁の前記係合部に対し位置ずれさせて配置されていることを特徴とする請求項１に記載のパレット式化粧料容器。
【請求項３】
前記可撓片部は、前記係合部と反対側の面が窪ませられて、前記仕切り壁よりも薄く形成されていることを特徴とする請求項１または２に記載のパレット式化粧料容器。
【発明の詳細な説明】
【０００１】
【発明の属する技術分野】
本発明は、収納部がその両側に形成される仕切り壁の厚さを薄くすることができるパレット式化粧料容器に関する。
【０００２】
【従来の技術】
従来、アイシャドウやブラッシャーなどの化粧料が充填された複数の化粧皿を交換可能に収納するパレット式の化粧料容器、特に大きさの異なる化粧皿を収納するパレット式化粧料容器としては、特開２０００−１１４に開示されたものが知られている。この化粧料容器では、容器本体内部を２つに区分けする仕切り壁が設けられ、化粧皿は仕切り壁両側の各収納部に収納される。各収納部は、小さな化粧皿を複数個並べて収納したり、最も大きな化粧皿を少なくとも一つ収納できる大きさに形成されている。仕切り壁自体は、その断面が逆Ｕ字状に形成されて、中央の間隙を挟んで対面する２つの壁面を備え、これら各壁面がそれぞれ各収納部に面している。各壁面にはそれぞれ可撓片部が複数形成され、これら可撓片部は、仕切り壁の厚さ方向に弾性変形できるようになっている。
【０００３】
特に、これら可撓片部のうち、一方の壁面に形成されたものは、当該一方の壁面が面する収納部のみに面し、また他方の壁面に形成されたものは、他方の収納部のみに面するようになっている。これら可撓片部にはすべてに、それらが面する収納部内へ突出させて、化粧皿の係合凹部と係脱自在に係合する係合部が形成されている。また仕切り壁と対面する容器本体の壁面にも収納部内に突出させて、化粧皿の係合凹部と係脱自在に係合する係合凸部が形成されている。
【０００４】
そして、一方の収納部に化粧皿を収納する際、この収納部に面している壁面の可撓片部は、化粧皿を挿入するに従って弾性変形されて間隙に向かって押し込まれ、その後、係合部および係合凸部が係合凹部に係合することで弾性復帰して、これにより化粧皿を収納部内に保持するようになっている。他方のもう一つの収納部にあっても、これに面する壁面の可撓片部が同様に弾性変形されるようになっている。また、化粧皿を取り外す際にも、いずれの収納部にあっても、可撓片部を弾性変形させれば、化粧皿の係合凹部を係合部および係合凸部から離脱させることができ、化粧皿を収納部から取り出せるようになっている。
【０００５】
【発明が解決しようとする課題】
ところで、上記従来のパレット式化粧料容器にあっては、収納部を区画形成する仕切り壁の厚さが厚いという課題があった。具体的に説明すると上述したように、仕切り壁は、間隙を挟んで各収納部に面する２つの壁面を備え、そして一方の壁面にはこれが面する一方の収納部に臨む可撓片部を形成し、他方の壁面には他方の収納部に臨む可撓片部を形成していた。このように各収納部に面する可撓片部を別々の２つの壁面に形成していて、この２つの壁面を確保する必要性から仕切り壁の厚さが厚くなってしまい、この仕切り壁の厚さのために、化粧料を収納するための容器本体内のスペースが無駄になっていた。
【０００６】
そしてこのことは、収納部の数を２つではなく、もっと多く設定するために、仕切り壁の枚数を増やせば増やすほど、一枚の仕切り壁の厚さの影響が累積していき、容器本体などの外形寸法に与える影響も顕著なものとなってしまう。
【０００７】
本発明は上記従来の課題に鑑みて創案されたものであって、収納部がその両側に形成される仕切り壁の厚さを薄くすることができるパレット式化粧料容器を提供することを目的とする。
【０００８】
【課題を解決するための手段】
本発明にかかるパレット式化粧料容器は、化粧皿を収納する収納部が仕切り壁の両側にそれぞれ形成されたパレット式化粧料容器において、上記仕切り壁には、表裏面が上記各収納部にそれぞれ面し、かつ当該仕切り壁の厚さ方向に弾性変形可能な可撓片部を複数形成するとともに、これら可撓片部の表裏面のいずれか一方に、上記化粧皿に係脱自在に係合する係合部を形成したことを特徴とする。これにより、収納部がその両側に形成される仕切り壁の厚さを薄くすることが可能となる。
【０００９】
また、前記仕切り壁が互いに相対向させて複数設けられ、一方の仕切り壁の前記係合部が、他方の仕切り壁の前記係合部に対し位置ずれさせて配置されていることを特徴とする。これにより、仕切り壁の係合部によって、各収納部に収納される化粧皿を適切に保持させることが可能となる。
【００１０】
また、前記可撓片部は、前記係合部と反対側の面が窪ませられて、前記仕切り壁よりも薄く形成されていることを特徴とする。これにより、可撓片部の弾性変形が保証される。
【００１１】
【発明の実施の形態】
以下に、本発明にかかるパレット式化粧料容器の好適な一実施形態を、添付図面を参照して詳細に説明する。本実施形態にかかるパレット式化粧料容器１は図１〜図５に示すように、内部に一連の収納凹部２が形成された容器本体３と、この容器本体３の収納凹部２内に組み込まれて接着剤や超音波接着などの方法によって固定され、化粧料Ｐを充填した化粧皿４が着脱自在に収納される収納部５ａ〜５ｄを区画形成する皿枠６と、容器本体３に一端がヒンジ７を介して回動自在に連結されて容器本体３を開閉するとともに、他端がフック手段８を介して容器本体３に係脱自在に係合されて容器本体３の閉止状態を維持する、鏡９付きの蓋体１０とから主に構成される。
【００１２】
フック手段８は、容器本体３の凹所１１に形成されたフック用突起１２と、蓋体１０から垂下され、フック用突起１２に係脱自在に係合されるフック部１３と、凹所１１内にスライド自在に設けられ、容器本体３内方へ向かって押し込まれることで蓋体１０を押し上げてフック部１３をフック用突起１２から離脱させるプッシュピース１４とから構成される。
【００１３】
皿枠６は合成樹脂製で形成され、容器本体３の収納凹部２の輪郭に沿って形成された外周壁部６ａと、フック手段８側とヒンジ７側との間で、外周壁部６ａ間に互いに平行に掛け渡して形成された４枚の平板状の仕切り壁１５ａ〜１５ｄとを備えて、枠体状に形成される。そしてこれら仕切り壁１５ａ〜１５ｄは収納凹部２内に、フック手段８側からヒンジ７側に向かって、化粧具を収納する第１収納部１６、並びに化粧皿４を着脱自在に収納する第２収納部５ａから第５収納部５ｄを区画形成する。第１収納部１６は、第１仕切り壁１５ａとフック手段側の外周壁部６ａとの間に区画形成され、第５収納部５ｄは、第４仕切り壁１５ｄとヒンジ側の外周壁部６ａとの間に区画形成され、また第２収納部５ａから第４収納部５ｃは、第１仕切り壁１５ａから第４仕切り壁１５ｄの各仕切り壁の間に、それぞれ外周壁部６ａに挟まれて区画形成される。すなわち、平板状の各仕切り壁１５ｂ〜１５ｄの両側には第２収納部５ａから第５収納部５ｄが形成され、これら仕切り壁１５ｂ〜１５ｄの表裏面は両側の収納部５ａ〜５ｄにそれぞれ面する。
【００１４】
第２収納部５ａから第５収納部５ｄは、幅寸法が同一であってかつ長さ寸法が異なる、各種大きさの化粧皿４を適宜に組み合わせて収納できる寸法に設定される。換言すれば、化粧皿４は、幅寸法Ｈが仕切り壁間寸法Ｈとほぼ同一であって、かつ長さ寸法Ｌが仕切り壁の長さ寸法Ｓとほぼ同一、もしくはその長さ寸法Ｓの二分の一、四分の一などの寸法に形成され、仕切り壁１５ａ〜１５ｄの長さ寸法に組み合わせて配列することで収納部５ａ〜５ｄに収納される。これら化粧皿４には、仕切り壁１５ａ〜１５ｄと向かい合う幅方向両側面に、その長さ方向全長にわたって一連に係合凹部１７が形成される。図示例にあっては、化粧皿４として、その長さ寸法Ｌが仕切り壁の長さ寸法と同一の大きなものと、半分の小さなものとが示されている。また、化粧皿４には、係合凹部１７が形成された側面からその底面にわたって面取りして、テーパ面１８が形成される。
【００１５】
化粧皿４の係合凹部１７と向かい合うことになる第２仕切り壁１５ｂから第４仕切り壁１５ｄには、表裏面が仕切り壁１５ｂ〜１５ｄ両側の各収納部５ａ〜５ｄにそれぞれ面し、当該仕切り壁１５ｂ〜１５ｄの厚さ方向に弾性変形可能な可撓片部１９が複数形成される。平板状の仕切り壁１５ｂ〜１５ｄにはその長さ方向に沿って間隔を隔てて、深さ寸法を深く設定した複数の脚部２０が形成され、可撓片部１９は、これら脚部２０間に仕切り壁１５ｂ〜１５ｄを貫通する縦スリット２１を介して、当該脚部２０よりも段違いに浅い寸法で、互いに間隔を隔てて複数形成される。そして、容器本体３の収納凹部２に脚部２０の位置に合わせて、脚部２０と可撓片部１９との段差よりも浅い深さで形成した複数の溝部２２にそれぞれ脚部２０を挿入することにより、可撓片部１９は、左右の縦スリット２１、並びに収納凹部２との間に生じる、仕切り壁１５ｂ〜１５ｄを貫通する横スリット２３に取り囲まれ、これによって仕切り壁１５ｂ〜１５ｄの厚さ方向に弾性変形可能とされる。
【００１６】
図示例にあっては各仕切り壁１５ｂ〜１５ｄには、５つの脚部２２の間に４つの可撓片部１９が形成されている。他方、第２仕切り壁１５ｂと向かい合う第１仕切り壁１５ａ、並びに第４仕切り壁１５ｄと向かい合うヒンジ側の外周壁部６ａには、可撓片部１９は形成されない。
【００１７】
さらに、可撓片部１９には、仕切り壁１５ｂ〜１５ｄに連なる固定端とは反対側の自由端に、その表裏面のいずれか一方、具体的には仕切り壁１５ｂ〜１５ｄの両側に位置する収納部５ａ〜５ｄのいずれか一方に臨ませて、化粧皿４の係合凹部１７に係脱自在に係合する係合部２４が収納部５ａ〜５ｄ内方へ突出させて形成される。また、可撓片部１９を有しない第１仕切り壁１５ａおよびヒンジ側の外周壁部６ａにも、それぞれ第２収納部５ａおよび第５収納部５ｄ内方へ突出させて、化粧皿４の係合凹部１７に係脱自在に係合する係合凸部２５が形成される。特に、互いに相対向する仕切り壁１５ａ〜１５ｄ同士、また第４仕切り壁１５ｄとヒンジ側の外周壁部６ａとの関係において、係合部２４および係合凸部２５は、互いに向かい合わないように、一方の仕切り壁１５ｂ〜１５ｄの係合部２４に対し、他方の仕切り壁１５ａ〜１５ｄまたはヒンジ側の外周壁部６ａの係合部２４もしくは係合凸部２５が位置ずれさせて配置される。
【００１８】
図示例にあっては係合部２４は、中央部の２つが一方の収納部５ａ〜５ｃに臨むとともに、両端部の２つが他方の収納部５ｂ〜５ｄに臨むように配置されている。また係合凸部２５は、第２収納部５ａにおいて、第２仕切り壁１５ｂの中央の係合部２４と位置ずれさせて両端部に形成されているとともに、第５収納部５ｄにおいて、第４仕切り壁１５ｄの両端部の係合部２４と位置ずれさせて中央部に形成されている。
【００１９】
このように位置をずらして配置することによって、一つの仕切り壁１５ｂ〜１５ｄに、その両側の収納部５ａ〜５ｄ双方に面する係合部２４を備えつつ、各収納部５ａ〜５ｄでは、互いに相対向する仕切り壁１５ｂ〜１５ｄ同士もしくは仕切り壁１５ａおよびヒンジ側の外周壁部６ａに設けた係合部２４もしくは係合凸部２５によって、化粧皿４をその両側から挟み込んで適切に保持することができる。図示例にあっては、小さな化粧皿４の場合、一側面の係合凹部１７の一方の隅に中央部の係合部２４が係合し、他側面の係合凹部１７の他方の隅に端部の係合部２４が係合するようになっている。
【００２０】
さらに、可撓片部１９は、その弾性変形能を向上させるとともに、係合部２４の反対側にその変形を許容するスペースを十分に確保するために、係合部２４と反対側の面１９ａが窪ませられて、その厚さが仕切り壁１５ｂ〜１５ｄの厚さよりも薄く形成される。また、収納凹部２には、各収納部５ａ〜５ｄに対応させて、化粧皿４を取り外す際に棒状物を差し込むための穴部２６が形成される。
【００２１】
本実施形態にかかるパレット式化粧料容器１の作用について説明すると、収納部５ａ〜５ｄ内に化粧皿４を収納する際には、その係合凹部１７を仕切り壁１５ａ〜１５ｄ等に向けて押し入れると、当該収納部５ａ〜５ｄのみに面する係合部２４を介して、化粧皿４のテーパ面１８が可撓片部１９を仕切り壁１５ｂ〜１５ｄの厚さ方向に収納部５ａ〜５ｄ外方へと押圧して弾性変形させ、その後、係合凹部１７に係合部２４もしくは係合凸部２５が係合すると可撓片部１９が弾性復帰し、これにより化粧皿４は収納部５ａ〜５ｄ内に保持される。仕切り壁１５ｂ〜１５ｄを挟んだ隣の収納部５ａ〜５ｄに対しても、同様にして化粧皿４を装着することができる。この際、隣接する収納部５ａ〜５ｄに化粧皿４が装着されていない場合はもちろんのこと、装着されていても、可撓片部１９は隙間を利用して、隣接する収納部５ａ〜５ｄ側に向かって弾性変形することができ、特に係合部２４とは反対側の面１９ａを窪ませて形成した場合には、十分に弾性変形することができて、適切に化粧皿４を収納部５ａ〜５ｄに収納することができる。
【００２２】
他方、仕切り壁１５ｂ〜１５ｄ両側のいずれの収納部５ａ〜５ｄにあっても、化粧皿４を取り外す際には、穴部２６から棒状物を挿入して化粧皿４の底面を押し上げると、化粧皿４が係合部２４を介して可撓片部１９を再び弾性変形させるので、これにより係合凹部１７が係合部２４および係合凸部２５から離脱されて、化粧皿４を収納部５ａ〜５ｄ内から取り出すことができる。
【００２３】
この際、本実施形態にかかるパレット式化粧料容器１にあっては、化粧皿４を収納する収納部５ａ〜５ｄがその両側にそれぞれ形成される仕切り壁１５ｂ〜１５ｄに、表裏面が各収納部５ａ〜５ｄにそれぞれ面し、かつ当該仕切り壁１５ｂ〜１５ｄの厚さ方向に弾性変形可能な可撓片部１９を複数形成するとともに、これら可撓片部１９の表裏面のいずれか一方に、化粧皿４に係脱自在に係合する係合部２４を形成したので、従来のように、各収納部に面する可撓片部を別々の２つの壁面に形成していて、この２つの壁面を確保する２つの壁面を確保する必要性から厚さが厚くなっていた仕切り壁とは異なり、単一壁面の仕切り壁１５ｂ〜１５ｄによってその両側に収納される化粧皿４を適切に保持することができて、仕切り壁１５ｂ〜１５ｄの厚さを薄く形成することができる。
【００２４】
このように、両側に収納部５ａ〜５ｄが形成される仕切り壁１５ｂ〜１５ｄの厚さを薄くすることができるので、化粧料Ｐを収納するための容器本体３内のスペースを無駄なく有効利用できるとともに、特に収納部５ａ〜５ｄの数を多く設定するために、仕切り壁１５ｂ〜１５ｄの枚数を増やしても、仕切り壁厚さの累積の影響を抑えることができて、容器本体３などの外形寸法に与える影響を小さくすることができる。
【００２５】
また、仕切り壁１５ａ〜１５ｄを互いに相対向させて複数設ける場合に、一方の仕切り壁１５ｂ〜１５ｄの係合部２４を、他方の仕切り壁１５ａ〜１５ｄや外周壁部６ａの係合部２４および係合凸部２５に対して位置をずらして配置するようにしたので、両側の収納部５ａ〜５ｄ双方に面する可撓片部１９の表裏面のいずれかにしか設けられない係合部２４を、合理的に各収納部５ａ〜５ｄに収納される化粧皿４の係脱に利用することができ、従来と遜色なく化粧皿４を適切に収納部５ａ〜５ｄに保持させることができる。さらに、可撓片部１９を、係合部２４と反対側の面１９ａを窪ませて、仕切り壁１５ｂ〜１５ｄよりも薄く形成したので、可撓片部１９の適切かつ十分な弾性変形量を保証することができる。
【００２６】
図６には可撓片部１９の変形例が示されている。この変形例にあっては、可撓片部１９は、脚部２０間に当該脚部２０よりも段違いに凹まされて、かつ仕切り壁１５ｂ〜１５ｄを貫通するＬ字状スリット２７に取り囲まれて仕切り壁１５ｂ〜１５ｄに形成される。そして、容器本体３の複数の溝部２２にそれぞれ脚部２０を挿入することにより、可撓片部１９は、Ｌ字状スリット２７、並びに収納凹部２との間に生じる、仕切り壁１５ｂ〜１５ｄを貫通する横スリット２３に取り囲まれ、これによって仕切り壁１５ｂ〜１５ｄの厚さ方向に弾性変形可能とされる。そしてこの可撓片部１９には、脚部２０と連なる固定端とは反対側の自由端に係合部２４が形成される。このような可撓片部１９であっても、上記実施形態と同様の作用・効果が得られることはもちろんである。また上記実施形態にあっては、容器本体３と皿枠６とを別体に形成した場合を例示したが、これらを一体的に成形しても良いことはもちろんである。
【００２７】
【発明の効果】
以上要するに、本発明にかかるパレット式化粧料容器にあっては、収納部がその両側に形成される仕切り壁の厚さを薄くすることができる。
【図面の簡単な説明】
【図１】本発明にかかるパレット式化粧料容器の好適な一実施形態を示す、容器本体および皿枠の一部破断斜視断面図である。
【図２】図１のパレット式化粧料容器の容器本体および皿枠の平面図である。
【図３】図１のパレット式化粧料容器の側断面図である。
【図４】図３中のＡ部拡大図である。
【図５】図１中のＢ部拡大正面図である。
【図６】本発明にかかるパレット式化粧料容器に適用される可撓片部の変形例を示す、図５に対応する拡大正面図である。
【符号の説明】
１　パレット式化粧料容器
４　化粧皿
５ａ〜５ｄ　収納部
１５ａ〜１５ｄ　仕切り壁
１９　可撓片部
２４　係合部
【図１】
2004073293.tif 000003
【図２】
2004073293.tif 000004
【図３】
2004073293.tif 000005
【図４】
2004073293.tif 000006
【図５】
2004073293.tif 000007
【図６】
2004073293.tif 000008